(57)【要約】【課題】バーナボディ１に連なる混合管３の上流端の流入口３１に臨ませて、メインノズル４と、メインノズル４のノズル孔４ａよりも小径のノズル孔５ａを有するサブノズル５とが並設され、メインノズル４とサブノズル５とに燃料ガスを供給する状態とサブノズル５にのみに燃料ガスを供給する状態とに切換自在としたコンロ用バーナであって、弱火状態で燃料ガスの供給量を可及的に絞っても、燃焼状態が悪化しないようにする。【解決手段】混合管３の流入口３１に隣接するスロート部３２は、所定径のメインスロート部３２ａと、メインスロート部３２ａよりも小径のサブスロート部３２ｂとが径方向に一部重なり合った断面形状に形成され、メインノズル４は、そのノズル孔４ａの孔軸がメインスロート部３２ａの断面中心と実質的に同心になるように配置され、サブノズル５は、そのノズル孔５ａの孔軸がサブスロート部３２ｂの断面内に収まるように配置される。【選択図】図１
2014202470.tif 000002
【特許請求の範囲】
【請求項１】
バーナボディに連なる混合管の上流端の流入口に臨ませて、燃料ガスを噴出するノズル孔を有するメインノズルと、メインノズルのノズル孔よりも小径で燃料ガスを噴出するノズル孔を有するサブノズルとが並設され、メインノズルとサブノズルとに燃料ガスを供給する状態とサブノズルのみに燃料ガスを供給する状態とに切換自在としたコンロ用バーナであって、
混合管の流入口に隣接するスロート部は、所定径のメインスロート部と、メインスロート部よりも小径のサブスロート部とが径方向に一部重なり合った断面形状に形成され、
メインノズルは、そのノズル孔の孔軸がメインスロート部の断面中心と実質的に同心になるように配置され、
サブノズルは、そのノズル孔の孔軸がサブスロート部の断面内に収まるように配置されることを特徴とするコンロ用バーナ。
【請求項２】
前記メインスロート部に重なり合わない前記サブスロート部の部分の輪郭の両端を結ぶ線を基準線として、サブスロート部の断面中心が基準線よりもメインスロート部の径方向外方に位置することを特徴とする請求項１記載のコンロ用バーナ。
【請求項３】
前記サブノズルは、そのノズル孔の孔軸が、前記基準線よりも前記メインスロート部の径方向外方に位置するサブスロート部の部分の断面内に収まるように配置されることを特徴とする請求項２記載のコンロ用バーナ。
【請求項４】
前記サブノズルは、前記流入口内に挿入されていることを特徴とする請求項１〜３の何れか１項記載のコンロ用バーナ。
【発明の詳細な説明】
【技術分野】
【０００１】
本発明は、バーナボディに連なる混合管の上流端の流入口に臨ませて、燃料ガスを噴出するノズル孔を有するメインノズルとサブノズルとが並設され、メインノズルとサブノズルとに燃料ガスを供給する状態とサブノズルにのみに燃料ガスを供給する状態とに切換自在としたコンロ用バーナに関する。
【背景技術】
【０００２】
従来、この種のコンロ用バーナとして、特許文献１に記載のものが知られている。このものでは、メインノズルのノズル孔とサブノズルのノズル孔とが同径である。そして、メインノズルとサブノズルとを、夫々そのノズル孔の孔軸が混合管の流入口に隣接する所定径のスロート部の断面内に収まるように配置し、各ノズルのノズル孔からの噴出ガス流へのエジェクタ効果による一次空気の吸引量を確保している。
【０００３】
尚、混合管の流入口に臨むノズルが１つであると、弱火状態で噴出ガス流の流速が遅くなって、一次空気の吸引不足を生ずるため、上記従来例のものは、メインノズルとサブノズルとを並設して、弱火状態ではサブノズルのみに燃料ガスを供給し、噴出ガス流の流速が遅くなることを防止している。
【０００４】
ここで、サブノズルのノズル孔をメインノズルのノズル孔よりも小径にすれば、弱火状態で燃料ガスの供給量を可及的に絞っても、噴出ガス流の流速が比較的速くなり有利である。但し、噴出ガス流へのエジェクタ効果による一次空気の吸引量は、スロート部の径がノズル孔の孔径に応じた所定の最適範囲であるときに最大になる。そして、上記従来例のものでは、サブノズルのノズル孔を小径にした場合、スロート部の径がサブノズルのノズル孔に応じた最適範囲よりも大きくなって、一次空気の吸引量が十分に確保できなくなり、燃焼状態が悪化してしまう。
【先行技術文献】
【特許文献】
【０００５】
【特許文献１】実開昭５９−７６８４４号公報
【発明の概要】
【発明が解決しようとする課題】
【０００６】
本発明は、以上の点に鑑み、弱火状態で燃料ガスの供給量を可及的に絞っても、燃焼状態が悪化しないようにしたコンロ用バーナを提供することをその課題としている。
【課題を解決するための手段】
【０００７】
上記課題を解決するために、本発明は、バーナボディに連なる混合管の上流端の流入口に臨ませて、燃料ガスを噴出するノズル孔を有するメインノズルと、メインノズルのノズル孔よりも小径で燃料ガスを噴出するノズル孔を有するサブノズルとが並設され、メインノズルとサブノズルとに燃料ガスを供給する状態とサブノズルのみに燃料ガスを供給する状態とに切換自在としたコンロ用バーナであって、混合管の流入口に隣接するスロート部は、所定径のメインスロート部と、メインスロート部よりも小径のサブスロート部とが径方向に一部重なり合った断面形状に形成され、メインノズルは、そのノズル孔の孔軸がメインスロート部の断面中心と実質的に同心になるように配置され、サブノズルは、そのノズル孔の孔軸がサブスロート部の断面内に収まるように配置されることを特徴とする。
【０００８】
本発明においては、メインスロート部に重なり合わないサブスロート部の部分の輪郭の両端を結ぶ線を基準線として、サブスロート部の断面中心が基準線よりもメインスロート部の径方向外方に位置することが望ましい。
【０００９】
この場合、更に、サブノズルは、そのノズル孔の孔軸が、基準線よりもメインスロート部の径方向外方に位置するサブスロート部の部分の断面内に収まるように配置されることが望ましい。
【００１０】
本発明によれば、メインスロート部よりも小径のサブスロート部に向けてサブノズルのノズル孔から燃料ガスが噴出されるため、サブノズルのノズル孔がメインノズルのノズル孔より小径であっても、サブノズルのノズル孔からの噴出ガス流へのエジェクタ効果による一次空気の吸引量を十分に確保することができる。従って、サブノズルのみに燃料ガスを供給する弱火状態で燃料ガスの供給量を可及的に絞っても、燃焼状態が悪化することはない。
【００１１】
また、本発明において、サブノズルは、流入口内に挿入されていることが望ましい。これによれば、サブノズルからの噴出ガス流に向かう径方向外方からの一次空気の吸引領域が、流入口内に制限される。従って、サブノズルにのみに燃料ガスを供給する弱火状態において、一次空気の吸引量が過大となることを防止できる。
【図面の簡単な説明】
【００１２】
【図１】本発明の実施形態のコンロ用バーナの斜視図。
【図２】図１のＩＩ―ＩＩ線で切断した断面図。
【図３】図２のＩＩＩ―ＩＩＩ線で切断した断面図。
【発明を実施するための形態】
【００１３】
図１、図２を参照して、本発明の実施形態のコンロ用バーナは、板金製のバーナボディ１と、鋳造品又は鍛造品から成るバーナキャップ２とを備えている。バーナボディ１には、これに連なる混合管３が一体に形成されている。そして、混合管３の上流端の燃料ガスと一次空気とが流入する流入口３１に臨ませて、メインノズル４とサブノズル５とが並設されている。
【００１４】
バーナボディ１は、混合管３の先端部から立ち上がる内筒１１と外筒１２とで中空環状に形成される。また、内筒１１の上端部内周には、下方に屈曲するシール筒部１１ａが形成され、外筒１２の上端には、径方向内方に屈曲するフランジ部１２ａが形成されている。
【００１５】
バーナキャップ２は、バーナボディ１上に載置されるもので、環状に形成されている。また、バーナキャップ２上には、バーナキャップ２の上面との間に二次空気用の通気間隙を画成する環状の板材から成る二次空気ガイド６が設けられている。尚、図示しないが、バーナボディ１、バーナキャップ２及び二次空気ガイド６で囲われる内周空間には、コンロの天板上に載置する五徳に載せる調理容器の底面に当接する鍋底センサが設けられる。
【００１６】
バーナキャップ２の内周には、バーナボディ１の内筒１１に形成したシール筒部１１ａの内周に嵌合する筒部２１が垂設されている。また、バーナキャップ２の下面外周部には、バーナボディ１の外筒１２上端に形成した上記フランジ部１２ａの上面に着座する環状壁２２が垂設されている。そして、環状壁２２に、その下端面から上方に窪む炎孔溝２３を形成し、バーナボディ１内の混合気がこれら炎孔溝２３から噴出して燃焼するようにしている。
【００１７】
コンロ用バーナに対する燃料ガスの供給路７には、点火操作で開弁され消火操作で閉弁される主弁７１と、火力調節のための流量調節弁７２とが介設されている。更に、流量調節弁７２の下流側で供給路７をメインノズル４に接続されるメイン通路７ａとサブノズル５に接続されるサブ通路７ｂとに分岐させ、メイン通路７ａに電磁弁７３を介設している。電磁弁７３は、常時は開弁していてメインノズル４とサブノズル５とに燃料ガスが供給され、弱火にするときに、電磁弁７３が閉弁されて、サブノズル５のみに燃料ガスが供給される。
【００１８】
サブノズル５に形成するノズル孔５ａは、弱火状態で流量調節弁７２により燃料ガスの供給量を可及的に絞っても、ノズル孔５ａからの噴出ガス流の流速が比較的速くなるように、メインノズル４に形成するノズル孔４ａよりも小径である。
【００１９】
また、混合管３は、流入口３１に隣接するスロート部３２を有している。このスロート部３２は、図２、図３に示す如く、流入口３１より小さな所定径のメインスロート部３２ａと、メインスロート部３２ａよりも小径のサブスロート部３２ｂとが径方向に一部重なり合った断面形状に形成されている。具体的には、メインスロート部３２ａの上方部分と、サブスロート部３２ｂの下方部分とが一部重なり合った断面形状に形成されている。
【００２０】
更に、メインスロート部３２ａに重なり合わないサブスロート部３２ｂの部分の輪郭の両端を結ぶ線を基準線Ｌとして、サブスロート部３２ｂの断面中心が基準線Ｌよりもメインスロート部３２ａの径方向外方に位置している。
【００２１】
ここで、メインノズル４は、そのノズル孔４ａの孔軸がメインスロート部３２ａの断面中心と実質的に同心になるように配置され、サブノズル５は、そのノズル孔５ａの孔軸が、基準線Ｌよりもメインスロート部３２ａの径方向外方に位置するサブスロート部３２ｂの部分の断面内に収まるように、メインノズル４の上方に配置されている。尚、本実施形態では、サブノズル５のノズル孔５ａの孔軸が、基準線Ｌよりもメインスロート部３２ａの径方向外方に位置するサブスロート部３２ｂの部分の断面内に位置するサブスロート部３２ｂの断面中心と実質的に同心である。また、サブノズル５は、流入口３１内に挿入されている。更に、メインノズル４の先端部は、ノズル孔４ａに向けて次第に縮径するテーパー状に形成されている。
【００２２】
本実施形態によれば、メインスロート部３２ａよりも小径のサブスロート部３２ｂに向けてサブノズル５のノズル孔５ａから燃料ガスが噴出されるため、サブノズル５のノズル孔５ａがメインノズル４のノズル孔４ａより小径であっても、サブノズル５のノズル孔５ａからの噴出ガス流へのエジェクタ効果による一次空気の吸引量を十分に確保することができる。従って、サブノズル５のみに燃料ガスを供給する弱火状態で燃料ガスの供給量を可及的に絞っても、燃焼状態が悪化することはない。
【００２３】
尚、サブノズル５は、そのノズル孔５ａの孔軸が、基準線Ｌとメインスロート部３２ａに重なり合うサブスロート部３２ｂの部分の輪郭（図３中、二点鎖線Ａで示す部分）とで囲まれる断面内に収まるように配置されてもよい。この場合でも、サブスロート部３２ｂの働きにより、サブノズル５のノズル孔５ａからの噴出ガス流へのエジェクタ効果による一次空気の吸引量をある程度確保することができる。但し、一次空気の吸引量を可及的に向上させるには、サブノズル５のノズル孔５ａの孔軸を、本実施形態の如く基準線Ｌよりもメインスロート部３２ａの径方向外方に位置するサブスロート部３２ｂの部分の断面内に収めることが望ましい。
【００２４】
ところで、サブノズル５を、メインノズル４と同様に、流入口３１外に配置した場合、サブノズル５からの噴出ガス流に向かう径方向外方からの一次空気の吸引領域が広くなる。そして、サブスロート部３２ｂの働きでサブノズル５のノズル孔５ａからの噴出ガス流へのエジェクタ効果による一次空気の吸引力が強められるため、吸引領域が広くなると、サブノズル５のみに燃料ガスを供給する弱火状態で、サブノズル５からの噴出ガス流への一次空気の吸引量が過大となる可能性がある。
【００２５】
これに対し、本実施形態では、サブノズル５が、流入口３１内に挿入されているため、サブノズル５からの噴出ガス流に向かう径方向外方からの一次空気の吸引領域が、流入口３１内に制限される。従って、サブノズル５にのみに燃料ガスを供給する弱火状態において、一次空気の吸引量が過大となることを防止できる。
【００２６】
更に、本実施形態では、メインノズル４の先端部が、ノズル孔４ａに向けて次第に縮径するテーパー状に形成されているため、メインノズル４からの噴出ガス流に向かう一次空気の流れに対する抵抗が少なくなる。従って、メインノズル４からの噴出ガス流への一次空気の吸引量を多くすることができる。
【００２７】
尚、上述のように、サブノズル５にのみに燃料ガスを供給する状態において、一次空気の吸引量を過剰となることを防止することを考慮すると、サブノズル５の先端部は、上記テーパー形状に形成しないことが望ましい。
【００２８】
以上、本発明の実施形態について図面を参照して説明したが、本発明はこれに限定されない。例えば、上記実施形態では、サブノズル５は、メインノズル４の上方に配置されているが、メインノズル４の下方に配置してもよい。この場合、スロート部３２は、メインスロート部３２ａの下方部分と、サブスロート部３２ｂの上方部分とが一部重なり合った断面形状に形成される。
【００２９】
また、上記実施形態では、サブノズルは単一であるが、サブノズルは複数であってもよい。この場合、複数のサブノズルに夫々接続される複数のサブ通路に夫々電磁弁を介設してもよい。そして、メイン通路の電磁弁とサブ通路の電磁弁とは、常時は開弁していてメインノズルと全てのサブノズルとに燃料ガスが供給され、中火にするときに、何れかの一方のサブ通路の電磁弁が閉弁されて、メインノズルと何れか他方のサブノズルとに燃料ガスを供給され、弱火にするときに、メイン通路の電磁弁が閉弁されて、全てのサブノズルに燃料ガスを供給され、更に、何れか一方のサブ通路の電磁弁が閉弁されて、何れか他方のサブノズルに燃料ガスが供給されてもよい。即ち、上記実施形態では、メインノズル４とサブノズル５とに燃料ガスを供給する状態とサブノズル５のみに燃料ガスを供給する状態との２つの状態に切換自在としているが、上述のように、複数の状態に切換自在としてもよい。
【００３０】
また、上記実施形態では、バーナボディ１が混合管３と一体となっているが、バーナボディ１は混合管３と別体であってもよい。更に、上記実施形態のバーナボディ１とバーナキャップ２は環状に形成されているが、バーナボディ１を内筒１１を有しない円筒状に形成し、その上に円板状のバーナキャップ２を載置するコンロ用バーナにも同様に本発明を適用できる。
【符号の説明】
【００３１】
１…バーナボディ、３…混合管、３１…流入口、３２…スロート部、３２ａ…メインスロート部、３２ｂ…サブスロート部、４…メインノズル、４ａ…メインノズルのノズル孔、５…サブノズル、５ａ…サブノズルのノズル孔、Ｌ…基準線。
【図１】
2014202470.tif 000003
【図２】
2014202470.tif 000004
【図３】
2014202470.tif 000005